(57)【要約】      （修正有）【課題】地震津波等において濁流に飲み込まれても、流木、瓦礫などの障害物に強い津波シェルターを提供する。【解決手段】津波シェルターは六角形の筒状で、強化プラスチック製であり二重構造で外部六角の角々に水掻き１１を備え、内部には金属製十字パイプを設けて避難者がしがみつくことができ、ワイヤ等でつながず、シェルター自体が漂流物になり、流れに逆らわず瓦礫や流木等と一緒に流れ、自らローリングして左右へ移動し、漂流物との衝突を避け安全漂流をして救助を待ち、陸地にたどり着ける。【選択図】図１
2014020130.tif 000002
【特許請求の範囲】
【請求項１】
強化プラスチック製で断面が六角形のカプセル状の筐体であり、筐体の全側面は二重構造とし、筐体内部の中央部には十字に組み込んだ支柱を固定し、六角形の外部の各角の稜線には突条が形成されたことを特徴とする津波シェルター。
【請求項２】
前記カプセル状の筐体は間仕切りにより、２つの空間を形成することを特徴とする請求項１に記載の津波シェルター。
【発明の詳細な説明】
【技術分野】
【０００１】
本発明の形状は六角筒を有し、強化プラスチック製の二重構造で、角々には水掻き１１を付け内部には固定された金属製の十字パイプ１３を設け自らローリングして移動も可能な津波シェルターに関する。
【背景技術】
【０００２】
従来から、避難用シェルターとして球状のシェルター等が利用されてあるものもあり、この例として特許文献１に開示されてあるものもある。    
【先行技術文献】
【特許文献】
【０００３】
【特許文献１】実用新案登録第３１７６５０４号
【発明の概要】
【発明が解決しようとする課題】
【０００４】
先行技術に開示した特許文献は、全形が球体をしていて、底部は設置できるように平らにしてあるが、球体であるため大地震では揺れ動いてひとたまりもなく、転がる一方で不安定でしがみつくところもないし、衝撃にも弱い。
津波に流されないようにワイヤでつながれてはあるものの、実際津波に飲み込まれたらひとたまりもないだろうと想像するだけでも恐怖感が沸いてくる。というのは渓流つりの浮きのようなものが目に浮かぶ。そして中に入っている避難者はつかまるものがないのでどのような状態かも目に浮かぶ。それよりも津波の流れに逆らわないで、流れに沿ってカヌーが川を下るような状態で、ワイヤなどつけずに流れに身を任せるようにしたほうが良いと思う。もし津波で流されてワイヤが瓦礫などに絡まってそれ以上伸びなくなったら、いくら浮く球体であっても水面に出られず海中にとどまってしまい、中は酸欠状態になり助かる避難者も災害者になってしまう可能性だって十分ありうる。
【課題を解決するための手段】
【０００５】
上記課題を解決するために、本発明は、強化プラスチック製で断面が六角形のカプセル状の筐体であり、筐体の全側面は二重構造とし、筐体内部の中央部には十字に組み込んだ支柱を固定し、六角形の外部の各角の稜線には突条が形成されたことを特徴とする。
さらに、本発明は、前記カプセル状の筐体は間仕切りにより、２つの空間を形成することを特徴とする。
【発明の効果】
【０００６】
上記構成により、本願発明の津波シェルターは、六角筒の形状で強化プラスチック製の二重構造であるため、地震津波等の障害にも強く、例え濁流に飲み込まれ、障害物である流木、瓦礫などに引っかかったり衝突したりしても、二重構造なので壊れる心配は無用であるし、自ら左右へローリングして障害物を交わし安全漂流をして救助を待つとか陸地にたどり着くことができる。
例え救助の手が長時間かかって何日もこなくても水食料を積んでおけば事足りるし、トイレはプライベートルームで済まし汚物類は気密性のある開閉自由な窓口から外へポイ捨てできるので、シェルター内は悪臭もなく災害にもめげず快適な空間で救助を待つことができる。      
【図面の簡単な説明】
【０００７】
【図１】本発明の津波シェルターの斜視図である。
【図２】本発明の津波シェルターの正面図である。
【図３】本発明の津波シェルターの平面図である。
【図４】本発明の津波シェルターの側面図である。
【図５】本発明の津波シェルターの断面図Ａ―Ａ´である。
【図６】本発明の津波シェルターの内面図である。
【図７】本発明の津波シェルターの回転図である。
【発明を実施するための形態】
【０００８】
図１は本発明の津波シェルターの斜視図、図２は同正面図、図３は同平面図を示す。
また、図４は本願発明の津波シェルターの側面図、図５は図４本発明の津波シェルターの断面図Ａ−Ａ´である。図６は本発明の津波シェルターの内面図で開閉窓から外の様子を見ているところと十字パイプ１３にしがみついて下に重心を置いているところ、そして間仕切り１５のあるプライベートルームに入り携帯用トイレで用を足しているところ、内部では災害にもめげず快適な時間を過ごしている様子を示している。
図１に示すように、本発明の津波シェルターは、強化プラスチック製で作られ、その断面が六角形をしたカプセル状の筐体であり、側面外壁２、前面外壁４、上部外壁６、下部外壁８及び後部外壁１０からなる筐体の全側面は、それぞれ側面内壁１、前面内壁３、上部内壁５、下部内壁７及び後部内壁９とにより二重構造を形成し、大きさは４人〜５人家族用で正面視、六角形の縦横の寸法は1ｍ８０ｃｍで全体の長さは２ｍ７０ｃｍほどあればよい。
避難者１８の人数に合わせて適度な大きさで製作し、出入り口ドア１６は防水内開きにし、水の進入防止のため一箇所だけにする。また、開閉窓１２を適宜設ける。
置く場所としては庭隅、家中、ビルの屋上その他置いてもあまり差し支えのないところの接地面１９上が望ましい。普段は子供用ベットにしたり、遊び場所にしたり何か利用できるようにすれば邪魔物扱いにはならないだろうし、地震津波が起きたらすぐに津波シェルターの中へみんなで駆け込めるように準備だけはしておきたいものである。シェルター自ら漂流するために間違っても固定だけはしないでもらいたい。
また、図７に示すように、漂流物との衝突を交わすためにズレ防止十字金具１４で固定された十字パイプ１３の片側にしがみつき体重を片側にかければ傾いてもっと偏れば横になり上方へ体重を移動させれば矢印方向に一回転するし、その繰り返しを続ければローリングして横へ移動する。その反対側に重心をかけて行えば矢印と反対方向にローリングして横へ移動できる。同図に示すように六角形の角々に形成された突条の水掻き１１が前部から後部にかけて一列に突出しているので、前記のようにシェルター自ら左右にローリングして水を掻いて流木、瓦礫などの漂流物を交わし衝突することを回避できるのである。                  
【符号の説明】
【０００９】
１  側面内壁
２  側面外壁
３  前面内壁
４  前面外壁
５  上部内壁
６  上部外壁
７  下部内壁
８  下部外壁
９  後部内壁
１０  後部外壁
１１  水掻き
１２  開閉窓
１３  十字パイプ
１４  ズレ防止十字金具
１５  間仕切り
１６  出入り口ドア
１７  避難具入れ箱
１８  避難者
１９  設置面
【図１】
2014020130.tif 000003
【図２】
2014020130.tif 000004
【図３】
2014020130.tif 000005
【図４】
2014020130.tif 000006
【図５】
2014020130.tif 000007
【図６】
2014020130.tif 000008
【図７】
2014020130.tif 000009